(57)【特許請求の範囲】
【請求項１】
ベッド装置における側面側に着脱可能に装着してなる基部枠に、裏面に取り付けた保持枠を介して回動可能に本体パネルを設けると共に、前記基部枠頂部には、前記本体パネル下端側を受ける段部を設けて、本体パネルを前記基部枠に対し、基部枠頂部の段部に本体パネル下端側が当接して鉛直状に起立した状態から、略水平方向に倒伏した状態の範囲で回動規制する回動規制機構を設け、前記本体パネル裏面の保持枠に進退可能に設けたロックレバーと、前記基部枠の頂部側と頂部近傍の側面側に設けて前記ロックレバーを係合させるロック穴とで構成したロック手段を備え、このロック手段のロックレバーを、前記基部枠の頂部側のロック穴に係合させることで前記本体パネルを基部枠に対し鉛直状に保持する一方、前記基部枠の頂部近傍の側面側のロック穴に係合させることで前記本体パネルを略水平方向に倒伏して、ボトム上のマットレス側面に接すると共にマットレスと略同一高さ状態で保持する構成としたことを特徴とするベッド装置における着脱型移乗補助装置。
【請求項２】
前記回動規制機構は、前記基部枠の両端面側に一端側を回動自在に取り付けた一対の連結腕を備え、これら連結腕の他端側を前記本体パネル裏面側の保持枠における長手両端面側に設けたガイド用長穴に移動自在に取り付ける構成としたことを特徴とする請求項１記載のベッド装置における着脱型移乗補助装置。
【発明の詳細な説明】
【０００１】
【発明の属する技術分野】
本発明は、ベッド装置（病院用ベッド装置、在宅用ベッド装置）における側面側に着脱可能に装着して、ベッドとポータブルトイレなどの付帯設備との間で、容易に乗り降りできるようにした、ベッド装置における着脱型移乗補助装置に関するものである。
【０００２】
【従来の技術】
従来、ベッド装置から被介護者を車椅子やポータブルトイレへ移乗させる際、マットレス上で、臀部をボトム側部側に向けていざるようにずらして移動して、サイドフレームを越えてボトム側部において足を床面に着けて座った状態で待機させ、自力で前記車椅子やポータブルトイレへ移乗させるか、介護者の力添えで移乗させるようにしてきた。
【０００３】
【発明が解決しようとする課題】
しかしながら、ボトム側部とサイドフレーム間には、若干の隙間があり、移動の際に誤って被介護者が前記隙間に落ち込んでしまうことがあった。
本発明は、このような不都合を克服するために提案されたものであって、ベッド装置におけるボトムサイド側において、隙間なく、取付手段を介して支持するようにし、容易に乗り降りを可能とするベッド装置における着脱型移乗補助装置を提供することを目的とする。
【０００４】
【課題を解決するための手段】
前記した課題を解決するために、本発明では、請求項１において、ベッド装置における側面側に着脱可能に装着してなる基部枠に、裏面に取り付けた保持枠を介して回動可能に本体パネルを設けると共に、前記基部枠頂部には、前記本体パネル下端側を受ける段部を設けて、本体パネルを前記基部枠に対し、基部枠頂部の段部に本体パネル下端側が当接して鉛直状に起立した状態から、略水平方向に倒伏した状態の範囲で回動規制する回動規制機構を設け、前記本体パネル裏面の保持枠に進退可能に設けたロックレバーと、前記基部枠の頂部側と頂部近傍の側面側に設けて前記ロックレバーを係合させるロック穴とで構成したロック手段を備え、このロック手段のロックレバーを、前記基部枠の頂部側のロック穴に係合させることで前記本体パネルを基部枠に対し鉛直状に保持する一方、前記基部枠の頂部近傍の側面側のロック穴に係合させることで前記本体パネルを略水平方向に倒伏して、ボトム上のマットレス側面に接すると共にマットレスと略同一高さ状態で保持する構成としたベッド装置における着脱型移乗補助装置を提案する。
また本発明では、請求項２において、前記回動規制機構は、前記基部枠の両端面側に一端側を回動自在に取り付けた一対の連結腕を備え、これら連結腕の他端側を前記本体パネル裏面側の保持枠における長手両端面側に設けたガイド用長穴に移動自在に取り付ける構成としたベッド装置における着脱型移乗補助装置を提案する。
【０００５】
請求項１によれば、ベッド装置から被介護者を車椅子やポータブルトイレへ移乗させる際、ロック手段のロックレバーを、基部枠の頂部近傍の側面側のロック穴に係合させることで、本体パネルを基部枠に対し、略水平方向に倒伏した状態で保持する。この際、本体パネルは、ベッド装置のマットレスの幅方向側面側に隙間なく、且つ本体パネル上面が前記マットレスと段差なくもたらされ、被介護者を容易に移乗させることができる。
一方、前記本体パネルを基部枠に対し、基部枠頂部の段部に本体パネル下端側が当接した状態で、ロック手段のロックレバーを、前記基部枠の頂部側のロック穴に係合させて鉛直状に保持すれば、マットレスの幅方向へのずれるのを防止すると共に、被介護者が側面から落下するのを阻止することができる。
【０００６】
請求項２によれば、回動規制機構における連結腕の他端側を、前記本体パネル裏面側の保持枠における長手両端面側のガイド用長穴に沿って移動させることで、本体パネルを基部枠に対し、基部枠頂部の段部に本体パネル下端側が当接して鉛直状に起立した状態から、略水平方向に倒伏した状態の範囲で回動規制することができる。
【０００７】
【発明の実施の態様】
次に、本発明にかかるベッド装置における着脱型移乗補助装置について、実施の形態を示し、添付の図面に基づいて以下説明する。
図１に、ベッド装置１に装着される着脱型移乗補助装置２（以下、移乗補助装置２）を示す。
この移乗補助装置２は、ベッド装置１におけるフットボード３寄りのサイドフレーム４における付属品取付穴５に着脱可能に装着するようにしている。
すなわちこの移乗補助装置２は、サイドフレーム４の付属品取付穴５に装着する基部６と、この基部６に回動可能に取り付けると共に、回動規制機構７を介して支持した本体パネル８とを有し、この本体パネル８を基部６に対し、後述するロック手段により鉛直状に保持する一方、略水平方向に倒伏した状態で保持し、この本体パネル８をボトム９上のマットレス１０側面に接すると共にマットレス１０と略同一高さとなるように設定している。
【０００８】
前記基部６は、図２に示すようにサイドフレーム４の付属品取付穴５に差し込むようにした脚部１１，１１と、サイドフレーム４に対応して、サイドフレーム４上に載置させる基部枠１２とを有している。
【０００９】
前記本体パネル８は、略台形状で、表面軟質材によって被覆した周知の合成樹脂成形体によって構成している。
また、本体パネル８は、前記基部枠１２に、裏面に取り付けた保持枠１３を介して回動可能に取り付けている。
【００１０】
そして、前記回動規制機構７は、前記基部枠１２の両端面側に一端側を回動自在に取り付けた連結腕１４，１４を有し、これら連結腕１４，１４の他端を前記本体パネル８裏面側の保持枠１３における長手両端面側に設けたガイド部材である長穴１５，１５に移動自在に取り付けた構成としている。
【００１１】
さらに、前記保持枠１３には、図３に示すように本体パネル８を基部枠１２に対し、鉛直状に保持する一方、略水平方向に倒伏した状態で保持するためのロック手段１６を設けている。
このロック手段１６は、保持枠１３に進退可能に設けたロックレバー１７と、前記基部枠１２の頂部側と頂部近傍の側面側に設けたロック穴１８，１９とを有している。すなわち、基部枠１２の頂部側のロック穴１８は、本体パネル８を基部枠１２に対し鉛直状に保持し、一方頂部近傍の側面側のロック穴１９は、本体パネル８を略水平方向に倒伏した状態で保持するためのものである。
なお、前記基部枠１２には、本体パネル８を鉛直状に立上げた際に、本体パネル８下端側を受ける段部２０を設けている（図４参照）。
【００１２】
以上のような着脱型移乗補助装置２において、ベッド装置１におけるサイドフレーム４の付属品取付穴５に脚部１１，１１を差し込んで、基部枠１２を装着することができる。
被介護者を車椅子やポータブルトイレへ移乗させる際、本体パネル８を基部６に対し、略水平方向に倒伏した状態で保持する。すなわち、ロック手段１６におけるロックレバー１７を引き上げた状態で、本体パネル８を略水平方向に倒伏させる。この際、前記基部枠１２の両端面側の連結腕１４，１４が本体パネル８の長手両端面側における長穴１５，１５に沿って移動し、長穴１５，１５上端側に至る。次いで、前記ロックレバー１７を押し込んで、基部枠１２頂部近傍の側面側のロック穴１９にロックレバー１７を嵌合させることで、本体パネル８を拘束することができる（図３参照）。
これによって本体パネル８は、ベッドのマットレス１０の幅方向側面側に隙間なく、且つ本体パネル８上面が前記マットレス１０と段差なくもたらされ、被介護者を容易に移乗させることができる（図４参照）。
【００１３】
一方、前記本体パネル８を基部６に対し、鉛直状に保持するときは、ロック手段１６におけるロックレバー１７を引き上げた状態で、本体パネル８を立上げ、基部枠１２の段部２０に当接させる。次いで、前記ロックレバー１７を押し込んで、基部枠１２頂部側のロック穴１８にロックレバー１７を嵌合させることで、本体パネル８を拘束することができる。
かかる状態で本体パネル８は、マットレス１０の幅方向端面に接した状態にもたらされるので、マットレス１０の横ずれを防止すると共に、被介護者が側面から落下するのを防止することができる。
【００１４】
また以上のような移乗補助装置２は、ベッド装置１のフットボード３寄りのサイドフレーム４だけでなく、ヘッドボード寄りのサイドフレーム４に装着するようにすれば、移乗手段と共に、サポート手段としての機能を一層発揮することができる。なお、図示したベッド装置１は一例であって、ベッド側面全体に亘るサイドフレームを有する構造のものに対しても装着可能であるのは勿論である。
【００１５】
さらに、ベッド装置１のフットボード３寄りのサイドフレーム４以外に、移乗補助装置２における脚部１１，１１を受ける、受け手段をメインフレーム等に新たに設けた構造のベッド装置も可能である。例えば図５に示すように、ベッド装置３０のメインフレーム３１の側面に、付属品受パイプ３２を取り付けて付属品取付穴５として設け、これら付属品取付穴５に移乗補助装置２における脚部１１，１１を差し込むようにすることもできる。
【００１６】
【発明の効果】
以上の通り、本発明によれば、スライディングシートと比較し、安定性が増すので、移乗時の安全性が向上する。
また、マットレスの側部側に隙間なく、且つ、段差のない状態に設定したので、移乗時の橋渡しとして活用できることは勿論、あたかも、床幅を拡張したような効果も奏することができる。
さらには本体パネルを立上げた際には、マットレスの横ずれを防止すると共に、被介護者の側面からの落下を防止するサポート機能をももたらされる。
【００１７】
【図面の簡単な説明】
【図１】  本発明にかかる着脱型移乗補助装置を装着したベッド装置の一例を示した、要部斜視説明図である。
【図２】  図１に示す着脱型移乗補助装置の外観斜視図である。
【図３】  図１に示す着脱型移乗補助装置のさらに詳細な、外観斜視図である。
【図４】  本発明にかかる着脱型移乗補助装置の作用説明図である。
【図５】  本発明にかかるベッド装置における着脱型移乗補助装置を装着するためのベッドのもう一つの例を示した、要部斜視説明図である。
【符号の説明】
１                      ベッド装置
２                      移乗補助装置
３                      フットボード
４                      サイドフレーム
５                      付属品取付穴
６                      基部
７                      回動規制機構
８                      本体パネル
９                      ボトム
１０                    マットレス
１１                    脚部
１２                    基部枠
１３                    保持枠
１４                    連結腕
１５                    長穴
１６                    ロック手段
１７                    ロックレバー
１８，１９              ロック穴
２０                    段部
３０                    ベッド装置
３１                    メインフレーム
３２                    付属品受パイプ
【図１】
0003930692.tif 000002
【図２】
0003930692.tif 000003
【図３】
0003930692.tif 000004
【図４】
0003930692.tif 000005
【図５】
0003930692.tif 000006